(57)【要約】【課題】照明機能を有しながらも外観を損ない難く、効率的に強度を向上し得る床材を提供する。【解決手段】床材１は、表面１０ａ側に開口する蓋部収容凹所１２と該蓋部収容凹所よりも小径状で該蓋部収容凹所の底部側に連なる発光体収容凹所１３とからなる複数の段付穴１１を表面側に点在させて設けており、前記複数の段付穴のそれぞれの発光体収容凹所に発光体２４を収容し、それぞれの蓋部収容凹所に透光性を有した蓋部２１を収容して封止している。【選択図】図１
2013142276.tif 000002
【特許請求の範囲】
【請求項１】
表面側に開口する蓋部収容凹所と該蓋部収容凹所よりも小径状で該蓋部収容凹所の底部側に連なる発光体収容凹所とからなる複数の段付穴を表面側に点在させて設けており、
前記複数の段付穴のそれぞれの発光体収容凹所に発光体を収容し、それぞれの蓋部収容凹所に透光性を有した蓋部を収容して封止していることを特徴とする床材。
【請求項２】
請求項１において、
前記複数の段付穴のそれぞれを、当該床材の裏面側に連通させる貫通孔が設けられており、前記貫通孔のそれぞれを連通させる配線用凹溝が隣接する床材に設けられた配線用凹溝に連通するように当該床材の裏面に設けられていることを特徴とする床材。
【請求項３】
請求項１または２において、
前記蓋部の裏面側には、前記発光体収容凹所の上側部位に嵌め込まれる凸部が更に設けられていることを特徴とする床材。
【発明の詳細な説明】
【技術分野】
【０００１】
本発明は、照明機能を有した床材に関する。
【背景技術】
【０００２】
従来より、照明装置を床側に組み込んで床側から上方側を照らすことで夜間の歩行の際等の補助的な照明として利用することが行われている。
例えば、下記特許文献１では、長手方向に沿って延在させた掘り込み凹部に配設されたレール上に発光ダイオードを支持させ、レール及び発光ダイオードの上面側を透過板で覆った構造とした床見切や畳寄せ等の床埋込材が提案されている。
【先行技術文献】
【特許文献】
【０００３】
【特許文献１】特開２０１０−１２１２８０号公報
【発明の概要】
【発明が解決しようとする課題】
【０００４】
しかしながら、上記特許文献１のような床埋込材では、透過板が長手方向に沿って延在して設けられているので、床材としての外観を損ない易いという問題があった。また、歩行者等による踏み込みに対する強度上の観点等からも更なる改善が望まれていた。
【０００５】
本発明は、上記実情に鑑みてなされたものであり、照明機能を有しながらも外観を損ない難く、効率的に強度を向上し得る床材を提供することを目的とする。
【課題を解決するための手段】
【０００６】
上記目的を達成するために、本発明に係る床材は、表面側に開口する蓋部収容凹所と該蓋部収容凹所よりも小径状で該蓋部収容凹所の底部側に連なる発光体収容凹所とからなる複数の段付穴を表面側に点在させて設けており、前記複数の段付穴のそれぞれの発光体収容凹所に発光体を収容し、それぞれの蓋部収容凹所に透光性を有した蓋部を収容して封止していることを特徴とする。
【０００７】
本発明においては、前記複数の段付穴のそれぞれを、当該床材の裏面側に連通させる貫通孔が設けられており、前記貫通孔のそれぞれを連通させる配線用凹溝が隣接する床材に設けられた配線用凹溝に連通するように当該床材の裏面に設けられていてもよい。
また、本発明においては、前記蓋部の裏面側には、前記発光体収容凹所の上側部位に嵌め込まれる凸部が更に設けられていてもよい。
【発明の効果】
【０００８】
本発明に係る床材は、上述のような構成としたことで、照明機能を有しながらも外観を損ない難く、効率的に強度を向上させることができる。
【図面の簡単な説明】
【０００９】
【図１】（ａ）、（ｂ）は、本発明の一実施形態に係る床材の一例を模式的に示し、（ａ）は、概略斜視図、（ｂ）は、（ａ）におけるＡ−Ａ線矢視に対応させた一部破断概略縦断面図である。
【図２】（ａ）は、同床材の概略底面図、（ｂ）は、図１（ａ）におけるＢ−Ｂ線矢視に対応させた一部破断概略縦断面図である。
【図３】同床材を複数配設した状態を模式的に示す概略斜視図である。
【発明を実施するための形態】
【００１０】
以下に本発明の実施の形態について、図面に基づいて説明する。
なお、一部の図では、他図に付している詳細な符号の一部を省略している。
図１〜図３は、本実施形態に係る床材の一例を模式的に示す図である。
本実施形態に係る床材１は、図１に示すように、複数の段付穴１１を床材１（床本体１０）の表面１０ａ側に点在させて設けている。床材１は、床本体１０に設けられたこれら複数の段付穴１１のそれぞれに、発光体２４及び蓋部２１を収容した構造とされている。これら発光体２４と蓋部２１とによって、埋込照明部２０が構成される。本実施形態に係る床材１は、その表面１０ａ側に、複数の埋込照明部２０を点在させるようにして設けた構造とされている。
【００１１】
床本体１０は、略矩形平板状とされ、例えば、幅寸法が１尺（３０３ｍｍ）程度、長さ寸法が３尺（９０９ｍｍ）〜６尺（１８１８ｍｍ）程度の長尺板状体とされている。
床本体１０としては、木質系材料等から形成されたものとしてもよい。例えば、床本体１０を、基材としての合板の表面に、中間層としてのＭＤＦ（中密度繊維板）等の木質繊維板等を積層し、この中間層の表面に、表面層としての突板や化粧樹脂シート（フィルム）等の表面化粧材を積層した積層構造としたものとしてもよい。また、上記中間層や基材としては、合成樹脂系材料に、木粉や無機フィラー、相溶化剤、着色剤などを所定の含有割合で含有させた木粉・プラスチック複合材（ＷＰＣ）から形成されたものとしてもよい。また、床本体１０としては、無垢の木材から形成されたものとしてもよい。
【００１２】
本実施形態では、複数の段付穴１１のそれぞれを、床本体１０の長手方向に沿って間隔を空けて設けている。図例では、隣接する段付穴１１同士間の間隔を略等間隔とした例を示している。これら段付穴１１同士の間隔は、埋込照明部２０（蓋部２１）への踏み込みによる損傷等を抑制する観点や夜間等の補助照明として機能させる観点等から２５０ｍｍ〜５００ｍｍ程度としてもよい。これによれば、一般的な大きさの成人の足によって同時に二箇所の埋込照明部２０が踏まれるようなことを抑制することができ、踏み込みによる損傷等をより効果的に抑制することができる。
また、本実施形態では、複数の段付穴１１のそれぞれを、床本体１０の短手方向略中央に設けた例を示している。これら複数の段付穴１１のそれぞれは、略同様の構成とされている。
また、図例では、段付穴１１の個数を、五個とした例を示しているが、段付穴１１の個数は、五個に限られず、例えば、二個〜四個としてもよく、六個以上としてもよい。例えば、上記程度の寸法とされた床材１であれば、床材１としての外観を損ない難くする観点や夜間等の補助照明として機能させる観点等から床本体１０の長手方向に沿って間隔を空けて三個〜六個の段付穴１１を設けた態様としてもよい。
【００１３】
また、それぞれの段付穴１１は、蓋部収容凹所１２と発光体収容凹所１３とからなる（図１（ｂ）参照）。
それぞれの発光体収容凹所１３には、発光体２４が収容され、それぞれの蓋部収容凹所１２には、透光性を有した蓋部２１が収容されて封止される構造とされている。
蓋部収容凹所１２は、床本体１０の表面１０ａ側において開口し、かつ上方側に向けて開口するように設けられている。
本実施形態では、蓋部収容凹所１２を、平面視して略円形状としている（図１（ａ）及び図２（ａ）参照）。
なお、蓋部収容凹所１２の径寸法は、１０ｍｍ〜１００ｍｍ程度としてもよく、好ましくは３０ｍｍ〜５０ｍｍ程度としてもよい。
【００１４】
発光体収容凹所１３は、蓋部収容凹所１２よりも小径状とされ、蓋部収容凹所１２の底部側に連なるようにして床本体１０に形成されている。つまり、発光体収容凹所１３は、蓋部収容凹所１２の凹所底面において開口するように、かつ上方側に向けて開口するように設けられている。段付穴１１は、このような構成により、蓋部収容凹所１２と発光体収容凹所１３との境に段差部を有した段付穴形状とされている。
また、本実施形態では、蓋部収容凹所１２と同様、発光体収容凹所１３を、平面視して略円形状としている（図２（ａ）参照）。また、これら蓋部収容凹所１２と発光体収容凹所１３とを同心状に設けた例を示している。なお、発光体収容凹所１３の径寸法は、蓋部収容凹所１２の径寸法よりも小径状とすればよい。また、発光体収容凹所１３の径や深さは、後記する発光体２４の収容が可能な寸法とすればよい。
【００１５】
なお、本実施形態では、これら蓋部収容凹所１２と発光体収容凹所１３とを同心状とし、それぞれ平面視して略円形状とした例を示しているが、このような態様に限られない。例えば、これら蓋部収容凹所１２及び発光体収容凹所１３を、それぞれ平面視して略楕円形状としたり、略多角形状としたりしてもよい。また、これら蓋部収容凹所１２と発光体収容凹所１３との平面視における形状をそれぞれ異なる形状としてもよい。このような場合においても、上記段差部が形成されるように、発光体収容凹所１３を、蓋部収容凹所１２よりも小径状とすればよい。
【００１６】
また、本実施形態では、床本体１０に、複数の段付穴１１のそれぞれを、床本体１０の裏面１０ｂ側に連通させる貫通孔１４を設けている。本実施形態では、貫通孔１４を、複数の段付穴１１のそれぞれの発光体収容凹所１３の凹所底面及び床本体１０の裏面１０側においてそれぞれ開口するように、床本体１０の厚さ方向に沿って設けている。また、図例では、貫通孔１４を、平面視して略円形状とし、段付穴１１と同心状に設けた例を示している。
なお、貫通孔１４の径寸法は、段付穴１１の発光体収容凹所１３よりも小径状としてもよい。例えば、貫通孔１４の径寸法を、発光体収容凹所１３の径寸法の１／２〜１／６程度としてもよい。
また、図例では、貫通孔１４を、平面視して略円形状とした例を示しているが、これに限られず、例えば、平面視して略楕円形状としたり、略多角形状としたりしてもよい。
【００１７】
また、本実施形態では、床本体１０の裏面１０ｂに、配線用凹溝１５を設けている（図２（ｂ）参照）。
配線用凹溝１５は、床本体１０の裏面１０ｂ側に開口するように設けられた貫通孔１４のそれぞれを連通させるように床本体１０の裏面１０ｂに設けられている。
また、配線用凹溝１５は、床本体１０の裏面１０ｂ側に開口するように床本体１０の裏面１０ｂの長手方向の略全域に亘って設けられている。図例では、配線用凹溝１５を、床本体１０の短手方向略中央に設けた例を示している。
また、この配線用凹溝１５は、隣接する床材１に設けられた配線用凹溝１５に連通する構造とされている。図例では、長手方向に互いに隣接する床材１，１の配線用凹溝１５，１５同士が連通する構造とされている（図３参照）。
床本体１０の表面１０ａ側に設けられた段付穴１１の発光体収容凹所１３のそれぞれに収容された各発光体２４の各配線２は、それぞれの貫通孔１４を介して引き出され、この配線用凹溝１５に収容されるようにして配線される。
なお、配線用凹溝１５の下方側開口を塞ぐ閉塞部材５を設けるようにしてもよい。このような閉塞部材５としては、配線用凹溝１５の溝幅方向両縁近傍の床本体１０の裏面１０ｂにそって貼着される粘着テープ等としてもよく、薄平板状のシート部材としてもよい。
【００１８】
また、配線用凹溝１５の溝深さ寸法や溝幅寸法は、各発光体２４の配線２を収容できるように、配線２の径や本数等に応じて適宜、設定するようにしてもよい。
例えば、それぞれが１ｍｍ程度の径とされた３本〜６本程度の配線２の収容が可能となるように、配線用凹溝１５の溝幅寸法を５ｍｍ〜１０ｍｍ程度とし、溝深さ寸法を２ｍｍ〜５ｍｍ程度としてもよい。
また、この配線用凹溝１５や、上記した段付穴１１、貫通孔１４は、ルーター等の切削機械やＮＣ加工機等によって形成するようにしてもよい。
【００１９】
発光体２４は、本実施形態では、回路基板に複数の発光素子２５を実装した構成とされている（図１（ｂ）参照）。発光素子２５としては、ＬＥＤ（発光ダイオード）を採用するようにしてもよく、他の半導体発光素子や他の発光素子を採用するようにしてもよい。また、発光体２４としては、発光素子２５を回路基板に実装したものに限られず、例えば、電球や蛍光管等を採用するようにしてもよい。
この発光体２４の配線２は、回路基板の裏面側から延びるように設けられている。
この配線２は、上述のように、貫通孔１４を介して配線用凹溝１５に収容される。
なお、床材１には、図２及び図３に示すように、隣接する床材１，１の配線２，２同士を連結したり、給電部４に連結されるコネクタ３が設けられている。
【００２０】
蓋部２１は、図１（ｂ）に示すように、蓋部収容凹所１２に嵌め込まれるようにして収容されて蓋部収容凹所１２を封止する蓋本体部２２を備えている。
この蓋本体部２２は、蓋部収容凹所１２の形状に対応させて、略円板形状とされている。この蓋本体部２２の厚さ寸法及び径寸法は、段付穴１１の蓋部収容凹所１２の深さ寸法及び径寸法に対応した寸法とされており、段付穴１１の蓋部収容凹所１２に嵌め込み可能な寸法とされている。
図例では、蓋本体部２２の厚さ寸法は、蓋本体部２２が段付穴１１の蓋部収容凹所１２に収容された状態で、蓋本体部２２（蓋部２１）の表面２０ａと、床材１の床本体１０の表面１０ａとが略面一となるような寸法とされている。
【００２１】
また、本実施形態では、図１（ｂ）に示すように、蓋部２１の裏面側に、発光体収容凹所１３の上側部位１３ａに嵌め込まれる凸部２３を設けている。
この凸部２３は、蓋本体部２２と同心状の略円板形状とされ、蓋本体部２２の裏面側に突出するよう設けられている。また、この凸部２３と蓋本体部２２とは、一連に形成されている。
この凸部２３の径寸法は、発光体収容凹所１３の径寸法に対応した寸法とされており、段付穴１１の発光体収容凹所１３の上側部位１３ａに嵌め込み可能な寸法とされている。
なお、この凸部２３の厚さ寸法は、凸部２３が発光体収容凹所１３の上側部位１３ａに嵌め込まれた状態で、凸部２３の裏面が、発光体収容凹所１３に収容された発光体２４に干渉しないように適宜、設定するようにすればよい。
また、蓋部２１は、透光性を有したものとされている。蓋部２１は、透明または乳白色等の半透明の合成樹脂系材料や合成ゴム系材料等から形成されたものとしてもよい。また、蓋部２１は、床本体１０の表面１０ａと同系色の半透明な材料から形成されたものとしてもよい。これによれば、蓋部２１（埋込照明部２０）を目立ち難くすることができる。
また、蓋部２１の段付穴１１への固定は、嵌め込みのみによって固定するようにしてもよく、接着剤等を用いて固定するようにしてもよい。
【００２２】
上記構成とされた床材１は、図３に示すように、床下地等の施工下地上に縦横に並べるようにして配設される。
長手方向に隣り合う床材１，１に配設された配線２同士は、一方の床材１のコネクタ３と他方の床材１のコネクタ３とが連結されることで、連結される。また、図例では、幅方向に隣り合う床材１，１に配設された配線２同士を連結し、このように連結した配線２の一端部を給電部４に接続して各床材１のそれぞれの発光体２４への給電を可能とした例を示している。
なお、床材１に、発光体２４の点灯及び消灯操作をするための操作部を設けるようにしてもよい。図例では、床材１に、制御ユニット６を設けて、発光体２４の点灯制御を可能としている。
このような制御ユニット６としては、周囲の照度を検知する照度検知センサと、人の在、不在を検知する人体検知センサとを備えたものとしてもよい。また、この制御ユニット６によってなされる点灯制御の態様としては、照度検知センサが検知した周囲の照度が予め定められた閾値以下で、かつ、人体検知センサが人の在を検知したときに、発光体２４を所定時間が経過するまで点灯させるような制御態様としてもよい。このような制御態様とすれば、使い勝手を向上させることができる。
なお、上記した操作部は、床材１の表面１０ａ側や、室内壁面等に設けるようにしてもよいし、または、リモートコントローラーとしてもよい。また、制御ユニット６は、床材１の床本体１０内部に埋め込むように設けてもよい。
また、床材１の四周側端部に、隣接する床材１，１同士を接合する実部を設けるようにしてもよい。
【００２３】
上記構成とされた本実施形態に係る床材１によれば、照明機能を有しながらも外観を損ない難く、効率的に強度を向上させることができる。
つまり、複数の段付穴１１のそれぞれに発光体２４及び蓋部２１を収容して構成される複数の埋込照明部２０を床材１の表面１０ａ側に点在させた構造としている。従って、例えば、長手方向に沿って照明（透過板）を延在させた構造としたものと比べて、床材１としての外観を損ない難くすることができる。
また、床材１の表面１０ａ側に複数の埋込照明部２０を点在させた構造としているので、歩行者等による蓋部２１の踏み込み荷重を、蓋部２１以外の表面部位において受け易くすることができる。従って、例えば、長手方向に沿って照明を延在させた構造としたものと比べて、蓋部２１の損傷等を効率的に抑制することができ、また、これにより、効率的に床材１の強度を向上させることができる。
【００２４】
また、本実施形態では、各床材１のそれぞれの段付穴１１の発光体収容凹所１３に配設された各発光体２４の配線を、それぞれの貫通孔１４を介して裏面１０ａ側の配線用凹溝１５を利用して配線することができる。また、隣接する床材１，１の配線２，２同士を連結するコネクタ３等も、これらの配線用凹溝１５，１５に収容することができる。従って、各発光体２４の配線２等が、各床材１の表面１０ａ側に露出することがなく、見栄えを向上させることができる。
また、配線用凹溝１５は、床本体１０の裏面１０ｂに設けられているので、例えば、床本体１０の厚さ方向途中部位において床本体１０の幅方向や長手方向に貫通させて設けたものと比べて、簡易な構造とすることができる。また、配線作業も容易に行うことができる。
【００２５】
さらに、本実施形態では、蓋部２１の裏面側に設けられた凸部２３が、発光体収容凹所１３の上側部位１３ａに嵌め込まれる構造とされている。従って、その表面側に位置する蓋部収容凹所１２とによって蓋部２１が二段階で段付穴１１に嵌め込まれることとなり、蓋部２１の段付穴１１に対する固定強度を向上させることができる。
また、蓋部２１の裏面側に凸部２３が設けられているので、当該蓋部２１の表裏を比較的に容易に識別することができ、蓋部２１を組み付ける際における作業性を向上させることもできる。
【００２６】
なお、本実施形態では、床本体１０の裏面１０ｂ側に配線用凹溝１５を設けた例を示しているが、当該配線用凹溝１５を例えば、床本体１０の表面側や、床本体１０の厚さ方向途中部位等に設ける態様としてもよい。
また、本実施形態では、それぞれの段付穴１１を床本体１０の裏面１０ｂ側に連通させるように床本体１０の厚さ方向に貫通するように貫通孔１４を設けた例を示しているが、このような態様に限られない。例えば、配線用凹溝１５の形成態様に応じて、貫通孔１４を、床本体１０の幅方向または長手方向に貫通するように設けた態様としてもよい。
また、本実施形態では、蓋部２１の裏面側に凸部２３を設けた例を示しているが、凸部２３を蓋部２１の裏面側に設けない態様としてもよい。この場合は、蓋本体部２２のみを蓋部２１として把握するようにしてもよい。
また、図例では、複数の段付穴１１を床本体１０の表面１０ａ側に長手方向に沿って間隔を空けて設けた例を示しているが、このような態様に限られない。例えば、複数の段付穴１１を、床本体１０の表面１０ａ側に千鳥状に設けたり、不規則に点在させるように設けたりするようにしてもよい。
このような場合において、配線用凹溝１５を設ける場合には、これら複数の段付穴１１の下側に設けられた貫通孔１４のそれぞれを連通させるようにして、床本体１０の裏面１０ｂ側に形成する態様としてもよい。
【符号の説明】
【００２７】
１                床材
１０ａ            表面
１０ｂ            裏面
１１              段付穴
１２              蓋部収容凹所
１３              発光体収容凹所
１３ａ            上側部位
１４              貫通孔
１５              配線用凹溝
２１              蓋部
２３              凸部
２４              発光体
【図１】
2013142276.tif 000003
【図２】
2013142276.tif 000004
【図３】
2013142276.tif 000005